(57)【要約】      （修正有）【課題】分光及び屈折のプリズム効果による美しさを発現し、また反射の効果も顕著な宝飾品を提供する。【解決手段】第１面を複数の多角形の平面を凸状をなすように形成し、第２面を平面反射面に形成した透明部材を、金属台座によって保持した宝飾品において、第１面の中心部分が、二つの六角形平面２２と二つの５角形平面２４を交互に隣り合わせて配置する。【選択図】図１
0003193536.tif 000002
【実用新案登録請求の範囲】
【請求項１】
第１面を複数の多角形の平面を凸状をなすように形成し、第２面を平面反射面に形成した透明部材を、金属台座によって保持した宝飾品において、
前記第１面の中心部分が、二つの六角形平面と二つの５角形平面を交互に隣り合わせて配置したことを特徴とする宝飾品。
【請求項２】
前記二つの六角形平面が互い接し、前記二つの５角形平面が互いに接していないことを特徴とする請求項１に記載の宝飾品。
【請求項３】
前記第２面が前記透明部材の第２面に反射膜を蒸着したことを特徴とする請求項１に記載の宝飾品。
【請求項４】
前記第２面が前記透明部材の第２面に反射層をメッキしたことを特徴とする請求項１に記載の宝飾品。
【請求項５】
前記第２面が第1面と反対側に反射部材を配置したことを特徴とする請求項１に記載の宝飾品。
【請求項６】
第１面を複数の多角形の平面を凸状をなすように形成し、第２面を平面反射面に形成した透明部材を、金属台座によって保持した宝飾品において、
２枚の前記透明部材のそれぞれを、前記金属台座の両側に配置したことを特徴とする宝飾品。
【考案の詳細な説明】
【技術分野】
【０００１】
本考案は、ペンダント等の宝飾品、さらに詳しくは、ガラス材料を研磨し、裏面を実質上反射加工し、該裏面反射光が分光と屈折のプリズム作用によって美しいと感じられる光に変化して装着者や周りの者によって観察される宝飾品に関する。
【背景技術】
【０００２】
ガラス材料を研磨して多角体にして宝飾品として使用することは昔から行われている。
例えば、光学ガラスの第１面は曲率半径Ｒ１の凸状球面とし、第２面は曲率半径Ｒ２の凸状球面とし、第１面と第２面を円柱面で連結し、第２面の周囲部分に曲率半径Ｒ２より小さい曲率半径Ｒ３の凸状球面とし、宝飾品としまたレンズとして使用するものが提案されている（例えば、特許文献１参照）。
他の従来技術として、凹凸あるいはカット加工を施した透明なガラスまたはプラスチック材料と、裏面に施した光学反射薄とを有する光学的宝飾品が提案されている（例えば、特許文献２参照）。
他の従来技術として、上方からみて外周縁が八角形の中央の石と、そのまわりに配置され、それぞれ上方からみて外周縁が略台形に形成された８個の石を具えた宝飾品であって、前記中央の石と前記略台形の石とが支持体上に配置され、前記支持体は、第１の環と、該第１の環よりも小さい直径と大きい高さを有する第２の環とを有し、前記第１の環は前記第２の環と一体化され同心であり、 前記第２の環が、前記中央の石のパビリオンの全周にある縦方向アンダーカットの中に押込まれるようになっている一方の辺と、各々の略台形の石上にあるアンダーカットの中に押込まれるもう一方の辺を有するその上縁部上のＴ字形肩部を有しており、各々の略台形の石が、前記第１の環の前記内周上に作られた１つの溝により、その位置にしっかりと維持されており、前記中央の石の前記外周縁の八角形を形成している各辺が、それぞれ、対応する各略台形の石の前記外周縁の略台形を形成する辺のうちの一辺に対向し、前記略台形の石の前記外周縁の略台形を形成する辺のうち、前記一辺の各端とそれぞれ接する２つの辺は、隣り合う略台形の石の前記外周縁の略台形を形成する辺とそれぞれ対向し、前記支持体により前記中央の石と８個の前記略台形の石とが互いに一体化されブリリアントカットが形成されることを特徴とする宝飾品が提案されている（例えば、特許文献３参照）。
他の従来技術として、石留めが簡単にできるようにプレスによる抜き絞り加工で段付き穴開き爪付き円筒パーツと、穴開き座金を有し、これらの間にカットガラスを挟み、爪をハンドプレスによって折り曲げた石留め金具が提案されている（例えば、特許文献４参照）。
他の従来技術として、複数の多角形研磨平面を異なった方向を向けて配置した時計のガラスが提案されている（例えば、特許文献５参照）。
【先行技術文献】
【特許文献】
【０００３】
【特許文献１】実開平７−３３２３号公報
【特許文献２】実開平６−２８９１１号公報
【特許文献３】特許第４３３３８８２号公報
【特許文献４】特開２００１−１３７０１８号公報
【特許文献５】意匠公報第３５５６５７号公報
【考案の概要】
【考案が解決しようとする課題】
【０００４】
特許文献１に開示された宝飾品は、レンズとして使用できるので便利であるが、分光及び屈折のプリズム効果による美しさを発現することもなく、また反射の効果も有しない。
特許文献２に開示された光学的宝飾品は、凹凸あるいはカット加工を施した透明なガラスまたはプラスチック材料を使用するが、凹凸あるいはカット加工を具体的に特定していない。光学的宝飾品の美しさや看者を惹きつける力は、凹凸あるいはカット加工の形態によって大きく増減変化するものであり、この点で評価不可能である。
特許文献３に開示された宝飾品は、複数の光学部材から一体化されブリリアントカット宝飾体であり、ダイアモンド等で一般的に実施される極めてありふれたものであり、裏面反射光を分光と屈折のプリズム作用によって美しくする作用はない。
特許文献４に開示された石留め金具を使用した宝飾品は、簡易な加工によって強固で長い期間にわたって当初の状態を維持できる利点はあるが、カットガラスの裏面反射光を分光と屈折のプリズム作用によって美しくする作用はない。
特許文献５は時計ガラスに関するものであり、光が時計ガラスを透過して文字盤を読み取るものである。従って、特許文献５の時計ガラスは、カットガラスの裏面反射光を分光と屈折のプリズム作用によって美しくする作用はない。
【０００５】
（考案の目的）
本考案は、従来のペンダント等の宝飾品の上述した問題点に鑑みてなされたものであって、分光及び屈折のプリズム効果による美しさを発現し、また反射の効果も顕著な宝飾品を提供することを目的とする。
【課題を解決するための手段】
【０００６】
本案考案は、
第１面を複数の多角形の平面を凸状をなすように形成し、第２面を平面反射面に形成した透明部材を、金属台座によって保持した宝飾品において、
前記第１面の中心部分が、二つの六角形平面と二つの５角形平面を交互に隣り合わせて配置したことを特徴とする宝飾品
である。
【考案の効果】
【０００７】
本考案の宝飾品によれば、分光及び屈折のプリズム効果による美しさを発現することができ、且つ反射の効果も顕著な宝飾品を構成することができる。
【図面の簡単な説明】
【０００８】
【図１】本考案の第１実施形態の宝飾品の宝飾光学部材の右前上斜視図である。
【図２】本考案の第１実施形態の宝飾品の宝飾光学部材の平面図である。
【図３】本考案の第１実施形態の宝飾品の宝飾光学部材の正面図である。
【図４】本考案の第１実施形態の宝飾品の宝飾光学部材の右前上斜視図である。
【図５】本考案の第１実施形態の宝飾品の宝飾光学部材の底面図である。
【図６】本考案の第１実施形態の宝飾品の平面図である。
【図７】本考案の第１実施形態の宝飾品の正面図である。
【図８】図６の線VIII−VIIIに沿った断面図である。
【図９】本考案の第２実施形態の宝飾品の平面図である。
【図１０】本考案の第２実施形態の宝飾品の正面図である。
【図１１】図９線XＩ−ＸＩに沿った断面図である。
【図１２】本考案の第２実施形態の宝飾品の分解斜視図である。
【考案を実施するための形態】
【０００９】
以下に、本考案の実施形態を図に基づいて説明する。
（第１実施形態）
第１実施形態の宝飾品は、図１〜３に示すように、枠体１０に、宝飾光学部材１２を装着してなる。枠体１０は、紐、鎖等を取り付けるための取り付けリング１４が固着されている。
【００１０】
宝飾光学部材１２は、ガラス、プラスチック等の硬質透明材料を成形、研削、研磨して形成される。宝飾光学部材１０の上面は、全体的に凸面状であって、中心部分に、二つの六角形平面２２と二つの５角形平面２４を交互に隣り合わせて配置してある。二つの六角形平面２２は、互いに接触している。二つの５角形平面２４は、互いに分離している。二つの六角形平面２２と二つの５角形平面２４の外側には、３本の直線辺と一本の円弧辺からなる４辺形２６と、４本の直線辺と一本の円弧辺からなる５辺形２８がある。
【００１１】
宝飾光学部材１２の底面３０は、反射膜または反射層３２が形成されている。反射膜または反射層３２は、これらを設けることなく、底面３０に隣接して鏡面を持つ反射部材を配置することもできる。
【００１２】
（第２実施形態）
第２実施形態の宝飾品は、図９〜１２に示すように、枠体１１０の両面に、宝飾光学部材１１２を装着してなる。第２実施形態の宝飾光学部材１１２は、第１実施形態の宝飾光学部材１２枠体１０と同一である。
【符号の説明】
【００１３】
１０、１１０      枠体
１２、１１２      宝飾光学部材
１４              取り付けリング
２２              六角形平面
２４              ５角形平面
２６              ４辺形
２８              ５辺形
３０              底面
３２              反射層
【図１】
0003193536.tif 000003
【図２】
0003193536.tif 000004
【図３】
0003193536.tif 000005
【図４】
0003193536.tif 000006
【図５】
0003193536.tif 000007
【図６】
0003193536.tif 000008
【図７】
0003193536.tif 000009
【図８】
0003193536.tif 000010
【図９】
0003193536.tif 000011
【図１０】
0003193536.tif 000012
【図１１】
0003193536.tif 000013
【図１２】
0003193536.tif 000014